(57)【要約】左側方縁部と右側方縁部と底部とを有するカーテン（１０２）を含む防風カーテン装置（１００）を開示する。カーテンバー（１０３）は、カーテンの底部に取り付けられる。端部キャップ（２０１）は、カーテンバー（１０３）の各端部に取り付けられ、帯状部材（６０１）は、カーテン（１０２）の側方縁部に取り付けられる。支持枠は、第１および第２の側方案内部（１０４、１０５）と頂部支持部（１０１）と前記側方案内部（１０４、１０５）に取り付けられる底部支持部（１０６）とを含む。各々の側方案内部（１０４、１０５）は、略矩形の形状をなすとともに長手方向に延在する本体を含む。各側方案内部（１０４、１０５）の各本体は、長手方向に延在するカーテン軌道およびカーテンスロット（５２０）と長手方向に延在する案内軌道および案内スロット（５０２）とを含む。カーテン（１０２）は、第１の格納位置と複数の第２の展開位置との間において移動可能である。前記帯状部材（６０１）を自身に取り付けられて有するカーテン（１０２）の縁部は、カーテン軌道（５０１）およびカーテンスロット（５２０）内に位置し、端部キャップ（２０１）は、部分的に、前記案内スロット（５０２）内に位置する。
2006506567.tif 000002
【特許請求の範囲】
【請求項１】
略矩形の形状をなすとともに長手方向に延在する本体からなり、前記本体は、長手方向に延在するカーテンスロットを含み、前記本体は、長手方向に延在する案内スロットを含む防風カーテン用側方案内部。
【請求項２】
前記本体は、前記長手方向に延在するカーテンスロットと連通する、長手方向に延在するカーテン軌道をさらに含む請求項１に記載の防風カーテン用側方案内部。
【請求項３】
前記本体は、前記長手方向に延在する案内スロットと連通する、長手方向に延在する端部キャップ軌道をさらに含む請求項２に記載の防風カーテン用側方案内部。
【請求項４】
前記長手方向に延在するカーテンスロットは、前記長手方向に延在する案内スロットより狭い請求項２に記載の防風カーテン用側方案内部。
【請求項５】
アルミニウムである請求項１に記載の防風カーテン用側方案内部。
【請求項６】
略矩形の形状をなすとともに長手方向に延在する本体であって、第１および第２の長手方向に延在するスロットを自身内に含む本体と、第１、第２および第３の長手方向に延在する壁部と第１および第２の突起とによって形成される長手方向に延在する内溝とからなる防風カーテン用側方案内部。
【請求項７】
前記第１の長手方向に延在するスロットと連通する、長手方向に延在するカーテン軌道をさらに含む請求項６に記載の防風カーテン用側方案内部。
【請求項８】
前記第２の長手方向に延在するスロットと連通する、長手方向に延在する端部キャップ軌道をさらに含む請求項６に記載の防風カーテン用側方案内部。
【請求項９】
左側方縁部と右側方縁部と底部とを有するカーテンと、前記カーテンの前記底部に取り付けられるカーテンバーと、前記カーテンバーの各端部に取り付けられる端部キャップと、前記カーテンの前記側方縁部に取り付けられる帯状部材と、第１および第２の側方案内部を含む枠と、前記側方案内部に取り付けられる頂部支持部および底部支持部とからなり、各々の前記側方案内部は、略矩形の形状をなすとともに長手方向に延在する本体を含み、前記各側方案内部の前記各本体は、長手方向に延在するカーテン軌道およびカーテンスロットと長手方向に延在する案内軌道および案内スロットとを含み、前記カーテンは、第１の格納位置と複数の第２の展開位置との間において移動可能であり、前記カーテンの前記縁部および前記縁部に取り付けられる前記帯状部材は、前記カーテン軌道およびカーテンスロット内に位置し、前記端部キャップは、部分的に、前記案内軌道および案内スロット内に位置する防風カーテン装置。
【請求項１０】
前記カーテンバーは、前記カーテンに接着される請求項９に記載の防風カーテン装置。
【請求項１１】
前記カーテンバーは、溝を含み、前記端部キャップは、前記溝内に圧入される請求項９に記載の防風カーテン装置。
【請求項１２】
前記カーテンバーは、楔と該楔上の逆目とを含み、前記カーテンバーは、逆目と前記楔とによって前記カーテンに圧着される請求項９に記載の防風カーテン装置。
【請求項１３】
前記端部キャップは、少なくとも１個のリブ部を自身上において含み、前記少なくとも１個のリブ部は、前記カーテンバーの前記溝に摩擦的に係合する請求項１１に記載の防風カーテン装置。
【請求項１４】
前記底部支持部は、下枠である請求項９に記載の防風カーテン装置。
【請求項１５】
前記頂部支持部は、収納部である請求項９に記載の防風カーテン装置。
【請求項１６】
前記カーテンは、前記カーテンスロットと前記頂部および底部支持部に係合するとともに、これらに密接して、全周封止を達成する請求項９に記載の防風カーテン装置。
【請求項１７】
前記頂部支持部は、カーテン収納部であり、前記底部支持部は、下枠である請求項１５に記載の防風カーテン装置。
【請求項１８】
第１および第２の側方案内部からなり、各側方案内部は、略矩形の形状をなすとともに長手方向に延在する本体を含み、前記各側方案内部の前記各本体は、長手方向に延在するカーテン軌道およびカーテンスロットと長手方向に延在する案内軌道および案内スロットを含み、頂部収納部および底部下枠が、前記側方案内部に取り付けられる防風カーテン用枠。
【請求項１９】
前記案内スロットは、前記カーテンスロットの外側に位置する請求項１８に記載の防風カーテン用枠。
【請求項２０】
第１および第２の側方案内部と、カーテン格納および引出し収納部と、前記側方案内部に取り付けられる底部下枠とからなる枠構造であって、各側方案内部は、略矩形の形状をなすとともに長手方向に延在する本体を含み、前記各側方案内部の前記各本体は、長手方向に延在するカーテン軌道およびカーテンスロットと長手方向に延在する案内軌道および案内スロットを含む枠構造と、
側方縁部と頂部と底部とからなるカーテンであって、各々の前記側方縁部は、カーテンに取り付けられる帯状部材を含むカーテンと、
前記カーテンの前記底部に取り付けられるとともに、第１の端部と第２の端部とを有するカーテンバーと、各々が前記カーテンバーの端部と相互係合するとともに前記端部に圧入されるフランジ部分を含む第１および第２の端部キャップであって、各々が前記カーテンバーから延在する案内部をさらに含む第１の端部キャップおよび第２の端部キャップとからなり、
前記カーテンの引出しおよび格納が交互に行なわれるときに、各々の前記端部キャップの前記案内部は、自身のそれぞれの案内軌道および案内スロット内に位置し、前記帯状部材を自身に取り付けられて有する前記カーテンの各々の前記縁部は、自身のそれぞれのカーテン軌道およびカーテンスロット内に位置する防風カーテン装置。
【発明の詳細な説明】
【技術分野】
【０００１】
本発明は、遮風カーテンまたはハリケーン・カーテンと呼ばれることもある防風カーテンの分野に含まれる。
【背景技術】
【０００２】
防風カーテンは、ハリケーン等の暴風時に建物を保護するのに用いられる。ウエイン−ダルトン・コーポレイション（Wayne-Dalton Corp.）に譲渡された米国特許第６，２４１，６３９Ｂ１号（建物開口部の遮風のための装置および方法）、第６，２９６，０３９Ｂ１号（建物開口部の遮風のための装置および方法）、第６，２５７，３０５Ｂ１号（覆いの駆動および格納を行なうための方法および装置）、第６，３７８，５９３Ｂ１号（壁内カーテン装置の操作用アクセスパネルとその使用方法）および第６，４３１，２５０Ｂ２号（建物開口部の遮風のための装置および方法）とに、特に、フロリダ州およびメキシコ湾岸諸州等のハリケーン多発地域における建設業界の要求事項が開示されている。前記特許のこれらの開示は、参照により、本明細書に取り入れられる。さらにまた、前記特許には、ハリケーンおよびその他の暴風時における風の状況が説明されている。
【特許文献１】米国特許第６，２４１，６３９Ｂ１号明細書
【特許文献２】米国特許第６，２９６，０３９Ｂ１号明細書
【特許文献３】米国特許第６，２５７，３０５Ｂ１号明細書
【特許文献４】米国特許第６，３７８，５９３Ｂ１号明細書
【特許文献５】米国特許第６，４３１，２５０Ｂ２号明細書
【発明の開示】
【発明が解決しようとする課題】
【０００３】
建物外面に裂け目が生じると、破壊的な差圧が甚大な被害を引き起こす。流体（風）の速度による運動エネルギーは、速度の二乗に比例する。したがって、風によるエネルギーは、家屋またはその他の構造の内部を加圧し、前記内部が、屋根の輪郭と組み合わさって屋根に飛行機の翼のような作用をさせて残りの構造を吹き飛ばさせる。
【０００４】
暴風時において、建物または出入口や窓等の建物開口部に吹き付ける風は、一定ではない。風の大きさ（力）および方向は、暴風時および暴風時の前後において、経時的に変化し、かつ変動する。猛烈な風が建物を襲う前に保護装置を展開することが望ましい一方で、このような展開が常に行なわれるとは限らない。時には、保護装置の展開は、かなり強風の条件において行なわれる。
【０００５】
本発明は、カーテンが防風カーテン収納部と側方案内部と下枠とに係合することによって全周封止を達成する。
【０００６】
したがって、風が吹き、かつ変動および変化しているときに、暴風条件において展開されうる防風カーテン枠が必要とされている。さらにまた、暴風時において強度と剛性とが得られる防風カーテンが必要とされている。
【０００７】
したがって、展開時、たとえばカーテンの上昇および下降時とカーテンの完全下降位置における全面展開時とにおいて、カーテンを安定させる底部バーをカーテンに取り付けられて有する防風カーテンが必要とされている。
【０００８】
以下に説明されるとともに特許請求の範囲に示される本発明は、前記問題およびその他の問題を解決する。
【課題を解決するための手段】
【０００９】
左側方縁部と右側方縁部と底部とを有するカーテンを含む防風カーテン装置を開示するとともに特許請求する。カーテンバーは、カーテンの底部に取り付けられる。カーテンは、好ましくは重合体カーテンであり、かつ１層、２層または３層でありうる。カーテンの縁部に取り付けられる帯状部材は、好ましくは重合体であり、かつ２００２年１２月１８日出願の可撓性カーテンの製造方法および装置と題する特許出願第１０／３２２，９６５号に開示のように、接着、超音波溶接、高周波溶接、マイクロ波溶接または高周波誘導溶接されうる。これに代わる方法として、前記カーテンは、織物またはデュポン社（Dupont）の商標であるケブラー（Kevlar）を含む複合材料である材料等のその他の材料により製作されうる。
【００１０】
ナイロン製端部キャップは、前記カーテンバーの各端部に取り付けられ、帯状部材は、カーテンの側方縁部に取り付けられる。支持枠は、第１および第２の側方案内部と前記側方案内部に取り付けられる頂部支持部および底部支持部とを含む。各々の側方案内部は、略矩形の形状をなすとともに長手方向に延在する本体を含む。各側方案内部の各本体は、長手方向に延在するカーテン軌道およびカーテンスロットと長手方向に延在する案内軌道および案内スロットとを含む。この長手方向に延在するカーテン軌道は、長手方向に延在するカーテンスロットと連通する。同様に、長手方向に延在する案内軌道は、長手方向に延在する案内スロットと連通する。
【００１１】
前記カーテンは、第１の格納位置と複数の第２の展開位置との間において移動可能である。通常的に、前記カーテンは、良好な天候条件において全面的に開放されるか、または暴風条件において全面的に閉鎖される。帯状部材を自身に取り付けられて有するカーテンの縁部は、カーテンスロット内に位置し、端部キャップは、部分的に、案内スロット内に位置する。
【発明の効果】
【００１２】
本発明の目的は、暴風条件においてカーテンを第１の位置（開放）から第２の位置（閉鎖）に下降させるときに安定性と誘導性とが得られる枠組立体を提供することにある。
【００１３】
本発明の目的は、暴風条件において第１の位置（開放）から第２の位置（閉鎖）にカーテンから下降せしめられるときに安定化に役立つ枠組立体を提供することにある。
【００１４】
本発明の目的は、長手方向に延在するカーテン軌道およびカーテンスロットと長手方向に延在する案内軌道および案内スロットとを有する長手方向に延在する側方案内部を含む枠組立体を提供することにある。本発明のまた他の目的は、底部下枠と、カーテンの引出しおよび格納が行なわれる収納部（頂部支持部）とを用いて前記案内部を安定させることにある。
【００１５】
本発明の目的は、縁部と該縁部に取り付けられる帯状部材とを有するカーテンと組み合わさって前記カーテンを風荷重下において保持する枠組立体を提供することにある。
【００１６】
本発明の目的は、カーテンが自身の第１の開放位置から自身の第２の閉鎖位置に下降せしめられるときに、前記カーテンを最小限の摩擦で案内する枠組立体を提供することにある。前記カーテンは、帯状部材を取り付けられた縁部を有する。カーテンと帯状部材とは、枠の各側方案内部のカーテンスロット内に位置する。自身の各端部において端部キャップを有する底部バーは、カーテンに取り付けられる。各々の前記端部キャップは、各々の側方案内部の案内スロットに摺動可能に係合する。端部キャップは、案内スロットに係合し、カーテンと該カーテンに取り付けられる帯状部材とは、カーテンスロットに係合するとともに、風がカーテンに吹き付けている状態において、カーテンの上昇および下降を可能にする。
【００１７】
本発明の目的は、カーテンが全面的に展開されたとき、すなわちカーテンが自身の第２の位置にあるときに、カーテンとカーテンバーとを支持する底部下枠を含む枠組立体を提供することにある。自身の第２の位置において、カーテンバーに取り付けられるとともに該バーにより支持されるカーテンの底部は、枠の前記下枠に当接して載置される。
【００１８】
本発明の目的は、カーテンに剛性を付与するとともに、カーテンが展開されたときにカーテンが風ではためくことを防ぐ、カーテンに取り付けられる軽量のカーテンバーを提供することにある。
【００１９】
本発明の前記およびさらに他の目的は、以下に示される本発明の簡単な説明と特許請求の範囲とを参照すると、最もよく理解されよう。
【発明を実施するための最良の形態】
【００２０】
図面は、以下に示される本発明の説明と特許請求の範囲とを参照すると、よりよく理解されよう。
【００２１】
図１は、特に、防風カーテン１０２と防風カーテン収納部１０１と側方案内部１０４、１０５とカーテンバー１０３と下枠１０６とを示す、防風カーテン装置の分解斜視図１００である。防風カーテン収納部と側方案内部と下枠とは、窓または出入口等の開口部に隣接して建物に固定される枠を形成する。この枠は、図１に示されるように、前記開口部の外面に位置するとともに、前記収納部が外面および屋外環境の方へと外方に向く状態で配向される。
【００２２】
これに代わる方法として、前記枠は、反対方向に、防風カーテン収納部が建物の方に配向される状態で配向されてもよい。枠をこのように反転的態様に配向すると、排水等に関していくつかの問題が生じるが、平坦な表面突出物になるという利点を有する。
【００２３】
側方案内部１０４、１０５は、長手方向に延在する一方で、防風カーテン収納部１０１と下枠１０６とは、横方向に延在する。頂部キー１０９（頂部柱）は、左側方案内部１０４と相互係合する位置において示されている。下枠１０６をそれぞれ左側方案内部１０４と右側方案内部１０５とに固定する角部キー１０７および１０８が図示されている。特に、角部キー１０７の垂直方向部分１１０は、左側方案内部１０４と相互係合し、角部キー１０７の水平方向部分１１１は、底部下枠１０６と相互係合し、角部キー１０８の垂直方向部分１１２は、右側方案内部１０５と相互係合し、角部キー１０８の水平方向部分１１３は、下枠１０６と係合する。右側方案内部１０５を防風カーテン収納部１０１に固定するまた他の頂部キーが設けられるが、この頂部キーは、図１が斜視図であることから、図示されていない。図１に示されるように、ねじ（参照符号なし）により、前記キーはそれぞれの部分に固定される。
【００２４】
図２は、カーテン１０２および端部キャップ２０１と側方案内部１０４との関係を示す図１の拡大部分図２００である。端部キャップ２０１は、図示されているように、カーテンバー１０３に圧入される。側方案内部１０４の溝２０２は、頂部キー１０９を受ける。ねじ（参照符号なし）により、頂部キーは、側方案内部１０４に固定される。
【００２５】
図３は、角部キー１０７を用いた下枠１０６と側方案内部１０４との組立てを示す図１の拡大部分図３００である。図３において、角部キー１０７の水平方向部分１１１を受ける下枠１０６の溝３０１が図示されている。垂直方向部分１１０は、側方案内部１０４の溝２０２と相互係合する。
【００２６】
図４は、カーテンが全体の約４分の３だけ下方に引き出された状態の防風カーテン装置の斜視図４００である。好ましくはアルミニウムにより製作される底部バー１０３は、カーテン１０２が実質的に収納部１０１内の格納位置から図４Ａに示されるように完全に引き出された位置まで下方に移動するときに該カーテンを安定させる。側方案内部１０４、１０５もまた、収納部１０１および下枠１０６と同様にアルミニウムにより製作される。
【００２７】
図４Ａは、カーテンが完全に引き出された状態の防風カーテン装置の斜視図４００Ａである。
【００２８】
図５は、図１に示された側方案内部１０４のような側方案内部の斜視図５００である。図１に示されるところの側方案内部１０５は、図５に示される側方案内部１０４と同一である。図５Ａは、側方案内部の断面図５００Ａである。側方案内部は、断面において略矩形の形状をなすとともに、長手方向に延在する。側方案内部は、長手方向に延在する溝２０２と、長手方向に延在するカーテン軌道５０１と、長手方向に延在する案内軌道５３０とを含む。長手方向に延在するカーテンスロット５２０は、壁５０３および５０４によって形成され、長手方向に延在する案内スロット５０２は、壁５０３および５０５によって形成される。カーテンスロット５２０は、カーテン軌道５０１と連通し、案内スロット５０２は、案内軌道５３０と連通する。
【００２９】
溝２０２は、長手方向に延在する第１、第２および第３の壁部５０６、５０７および５０８と、第１および第２の突起５０９および５１０とによって形成される。溝２０２は、相反的な形状をなす頂部キー１０９と底部キー１０７とを受ける。この略全アルミニウム構造は、望ましくない塗料の隆起等が最小限に抑えられるように、１０００分の２〜３インチの厚さに施されうるとともに流れない塗料を用いて白色に塗装される。しかしながら、当業者には、いかなる平滑な仕上げ塗料でも十分であることが容易に理解されよう。
【００３０】
本発明のカーテン１０２は、好ましくは１層の重合体カーテンである。しかしながら、このカーテンは、多層重合体カーテンまたは高圧下での水の通過を阻む何らかのその他の種類のカーテンであってもよい。カーテンの縁部に取り付けられる帯状部材は、好ましくは重合体材料であるが、当業者には、前記帯状部材が適切な非重合体材料によって製作されうることが理解されよう。これらの帯状部材は、参照により本明細書に取り入れられる２００２年１２月１８日出願の同時係属出願第１０／３２２，９６５号に記載のような数多くの方法でカーテンに取り付けられうる。カーテンは、縁部において、縁部に取り付けられる重合体帯状部材を貫通して延在する孔部を含みうる。これに代わる方法として、カーテン１０２および帯状部材６０１は、カーテンおよび帯状部材を貫通して延在せず、かつカーテンが本質的に切欠部と相互作用する歯を有する歯車によって駆動されることを可能にする切欠部を含みうる。
【００３１】
図６は、図４の線６−６における断面図６００であり、左および右側方案内部１０４および１０５とカーテン１０２と該カーテン１０２に取り付けられる帯状部材６０１とが示されている。カーテン１０２は、カーテンスロットを形成する壁部５０３および５０４間において間隙を有する。同様に、カーテン帯状部材６０１およびカーテン１０２は、カーテン軌道５０１内において間隙を有する。このようにすると、カーテンは、カーテン軌道５０１およびカーテンスロット５２０内において過大な摩擦を伴うことなしに上方および下方に自由に移動しうる。
【００３２】
文字「Ｐ」と該文字に関連ある矢印とは、暴風条件時において圧力が加えられうる方向を示す。十分な圧力がカーテンに加えられると、カーテンは、若干内方に屈曲し、帯状部材６０１は、カーテン軌道５０１に係合する。
【００３３】
カーテンの閉鎖時において、いくらかの圧力がカーテンに加えられうる。この圧力の方向および大きさは、変化しうる。端部キャップ２０１は、カーテンバー１０３とカーテン１０２とを案内スロット５０２および案内軌道５３０内において下方に案内する。
【００３４】
図６Ａは、カーテン軌道５０１および案内軌道５３０を有する側方案内部１０５と、カーテン軌道５０１内に位置する自身の縁部に帯状部材６０１を取り付けられて有するカーテン１０２と、案内スロット５０２内に位置するとともに案内軌道５３０内へと延在する、カーテンバー１０３から突出する端部キャップ２０１とを示す図６の拡大部分図６００Ａである。図６Ａにおいて、カーテンバー１０３に圧入される端部キャップ２０１の第２の端部分上のリブ部８０５が図示されている。リブ部８０５は、図７に最もわかりやすく示されているように、カーテンバー１０３の溝７０１内に緊密に嵌合する。端部キャップ２０１のフランジ部８０３は、カーテンバー１０３と同じ外形を有する。
【００３５】
端部キャップ２０１の第１の端部分８０２は、案内軌道５３０内へと延在する。第１の端部分８０２と案内軌道５３０を形成する壁部５０５および５０３との間において、空間または隙間６０２が存在する。
【００３６】
図７は、図４Ａの線７−７における下枠１０６とカーテンバー１０３とカーテン１０２との断面図７００である。カーテン１０２は、カーテンバー１０３のリップ部９０１上に着座するとともに、カーテン１０２とバー１０３との間の界面において接着７０４される。メカニカルファスナーおよび両面テープ等のその他の取付け方法を用いてもよい。カーテン１０２は、さらにまた、端部キャップ２０１のフランジ部８０３のリップ部上に着座する。カーテンバー１０３は、下方かつ外方に傾斜して防風カーテン装置の外側の方へと水が排出されやすいようになっている上面７０２を有する。同様に、カーテンバー１０３は、下方かつ外方に傾斜するとともに、カーテンが部分的または全面的に開放されたときに、これもまた排水を容易にする下枠の傾斜と合致する下面７０３を含む。
【００３７】
図７Ａに、カーテン１０２が、該カーテン１０２に取り付けられる重合体帯状部材７１１Ａによりカーテンに固定されるカーテンバー７００Ａのまた他の実施例７００Ａが示されている。
【００３８】
図７Ｂには、カーテン１０２が、楔７１１Ｂと該楔上の逆目７１２、７１３および７１４およびカーテンバー７１０Ｂ上の逆目７１５、７１６、７１７および７１８との圧縮力によってバーに固定されるカーテンバー７１０Ｂのまた他の実施例７００Ｂが示されている。楔７１１Ｂは、くぼみ７２０Ｂ内に押し込まれるとともに、カーテンをそれぞれの逆目と係合させる。
【００３９】
図６Ａを参照すると、カーテン１０２および端部帯状部材６０１に介在する隙間６０３は、カーテンの引出しおよび格納を望ましいと思われるように交互に行なうことを可能にする。さらにまた、端部キャップ２０１の第１の端部８０２に介在する隙間６０２は、第１の端部８０２が案内軌道５３０内において移動することを可能にする。
【００４０】
図８は、端部キャップ２０１の平面図８００である。端部キャップ８０１の第１の端部分８０２は、側方案内部１０４、１０５の案内スロット５０２内に位置する。端部キャップ２０１のフランジ部８０３は、断面において、カーテンバー１０３と同じ輪郭を有する。特に、図８Ａに示されている端部キャップは、図７に示されるところのカーテンバー１０３の輪郭に合致するリップ部８０６を含む。図８および８Ａに示される端部キャップは、カーテンバー１０３の左側用であり、図７に示されるところの溝７０１内に差し込まれる。
【００４１】
端部キャップは、カーテンバー１０３のリップ部９０１に合致する輪郭を有するため、カーテンはカーテンバーの背後において滑合し、カーテンとカーテンバーの底部とが１個の平面状の面を形成する。第２の端部分８０４は、カーテンバー１０３の溝７０１内に圧入される。端部分８０４の隆起ランド部８０５は、端部キャップ８０１をカーテンバー１０３に摩擦的に固定する。
【００４２】
図８Ａは、さらに前記の構造が図示されている端部キャップ２０１の斜視図８００Ａである。図９は、カーテンバーの断面図９００である。カーテン１０２が取り付けられるリップ部９０１は、図９に最もわかりやすく示されている。図７および９に示されたところのカーテンは、カーテン１０２とカーテンバー１０３とが以下に説明されるように機能しうるように、幅においてリップ部と等しくなっている。
【００４３】
図１０は、下枠の断面図である。下枠の前側１００１は、垂直であり、かつ外方に向く。傾斜面１００２は、水と雪と水および雪と混ざった汚れとの排出を可能にする。中間傾斜面１００３は、頂部傾斜面１００４を下枠の垂直面１００５と相互接続する。
【００４４】
本発明を特に本明細書において説明したが、当業者には、本明細書に説明および開示されたところの本発明に、添付の特許請求の範囲の精神および範囲から逸脱することなしに変更を加えうることが理解されよう。
【図面の簡単な説明】
【００４５】
【図１】防風カーテン装置の分解斜視図である。
【図２】カーテンおよび端部キャップと側方案内部との関係を示す図１の拡大部分図である。
【図３】下枠と側方案内部との組立てを示す図１の拡大部分図である。
【図４】カーテンが全体の約４分の３だけ下方に引き出された状態の防風カーテン装置の斜視図である。
【図４Ａ】カーテンが完全に引き出された状態の防風カーテン装置の斜視図である。
【図５】側方案内部の斜視図である。
【図５Ａ】側方案内部の断面図である。
【図６】図４の線６−６における断面図である。
【図６Ａ】カーテン軌道およびカーテンスロットと案内軌道および案内スロットとを有する側方案内部と、カーテン軌道内に位置する自身の縁部に帯状部材を取り付けられて有するカーテンと、カーテンバーから突出するとともに部分的に案内スロット内に位置する端部キャップとを示す図６の拡大図である。
【図７】図４Ａの線７−７における断面図である。
【図７Ａ】カーテンバーのまた他の実施例の図である。
【図７Ｂ】カーテンバーのさらに他の実施例の図である。
【図８】端部キャップの平面図である。
【図８Ａ】端部キャップの斜視図である。
【図９】カーテンバーの断面図である。
【図１０】下枠の断面図である。
【符号の説明】
【００４６】
１００  防風カーテン装置の分解斜視図
１０１  防風カーテン収納部、頂部支持部
１０２  カーテン
１０３  カーテンバー、底部バー
１０４  左側方案内部
１０５  右側方案内部
１０６  下枠、底部支持部
１０７  角部キー、底部キー
１０８  角部キー、底部キー
１０９  頂部キー
１１０  垂直方向部分
１１１  水平方向部分
１１２  垂直方向部分
１１３  水平方向部分
２００  図１の拡大部分図
２０１  端部キャップ
２０２  溝
３００  図１の拡大部分図
３０１  溝
４００  防風カーテン装置の斜視図
５００  側方案内部の斜視図
５０１  カーテン軌道
５０２  案内スロット
５０３  壁
５０４  壁
５０５  壁
５０６  第１の壁部
５０７  第２の壁部
５０８  第３の壁部
５０９  第１の突起
５１０  第２の突起
５２０  カーテンスロット
５３０  案内軌道
６００  図４の線６−６における断面図
６０１  帯状部材
６０２  空間または隙間
６０３  隙間
７００  図４Ａの線７−７における下枠１０６とカーテンバー１０３とカーテン１０２との断面図
７０１  溝
７０２  上面
７０３  下面
７０４  接着
７１０  カーテンバー
７１１，７１１Ａ，７１１Ｂ  楔
７１２  逆目
７１３  逆目
７１４  逆目
７１５  逆目
７１６  逆目
７１７  逆目
７１８  逆目
７２０，７２０Ｂ  くぼみ
８００  端部キャップ２０１の平面図
８０１  端部キャップ
８０２  第１の端部分
８０３  フランジ部
８０４  第２の端部分
８０５  リブ部
８０６  リップ部
９００  カーテンバーの断面図
９０１  リップ部
１０００  下枠の断面図
１００１  下枠の前側
１００２  傾斜面
１００３  中間傾斜面
１００４  頂部傾斜面
１００５  下枠の垂直面
Ｐ  暴風条件時において圧力が加えられうる方向
【図１】
2006506567.tif 000003
【図２】
2006506567.tif 000004
【図３】
2006506567.tif 000005
【図４】
2006506567.tif 000006
2006506567.tif 000007
【図５】
2006506567.tif 000008
【図６】
2006506567.tif 000009
2006506567.tif 000010
【図７】
2006506567.tif 000011
2006506567.tif 000012
2006506567.tif 000013
【図８】
2006506567.tif 000014
【図９】
2006506567.tif 000015
【図１０】
2006506567.tif 000016
【手続補正書】
【提出日】平成17年5月16日(2005.5.16)
【手続補正１】
【補正対象書類名】特許請求の範囲
【補正対象項目名】全文
【補正方法】変更
【補正の内容】
【特許請求の範囲】
【請求項１】
左側方縁部と右側方縁部と底部とを有するカーテンと、前記カーテンの前記底部に取り付けられるカーテンバーと、前記カーテンバーの各端部に取り付けられる端部キャップと、前記カーテンの前記側方縁部に取り付けられる帯状部材と、第１および第２の側方案内部を含む枠と、前記側方案内部に取り付けられる頂部支持部および底部支持部とからなり、各々の前記側方案内部は、略矩形の形状をなすとともに長手方向に延在する本体を含み、前記各側方案内部の前記各本体は、長手方向に延在するカーテン軌道およびカーテンスロットと長手方向に延在する案内軌道および案内スロットとを含み、前記カーテンは、第１の格納位置と複数の第２の展開位置との間において移動可能であり、前記カーテンの前記縁部および前記縁部に取り付けられる前記帯状部材は、前記カーテン軌道およびカーテンスロット内に位置し、前記端部キャップは、部分的に、前記案内軌道および案内スロット内に位置する防風カーテン装置。
【請求項２】
前記カーテンバーは、前記カーテンに接着される請求項１に記載の防風カーテン装置。
【請求項３】
前記カーテンバーは、溝を含み、前記端部キャップは、前記溝内に圧入される請求項１に記載の防風カーテン装置。
【請求項４】
前記カーテンバーは、楔と該楔上の逆目とを含み、前記カーテンバーは、逆目と前記楔とによって前記カーテンに圧着される請求項１に記載の防風カーテン装置。
【請求項５】
前記端部キャップは、少なくとも１個のリブ部を自身上において含み、前記少なくとも１個のリブ部は、前記カーテンバーの前記溝に摩擦的に係合する請求項３に記載の防風カーテン装置。
【請求項６】
前記底部支持部は、下枠である請求項１に記載の防風カーテン装置。
【請求項７】
前記頂部支持部は、収納部である請求項１に記載の防風カーテン装置。
【請求項８】
前記カーテンは、前記カーテンスロットと前記頂部および底部支持部に係合するとともに、これらに密接して、全周封止を達成する請求項１に記載の防風カーテン装置。
【請求項９】
前記頂部支持部は、カーテン収納部であり、前記底部支持部は、下枠である請求項７に記載の防風カーテン装置。
【請求項１０】
第１および第２の側方案内部からなり、各側方案内部は、略矩形の形状をなすとともに長手方向に延在する本体を含み、前記各側方案内部の前記各本体は、長手方向に延在するカーテン軌道およびカーテンスロットと長手方向に延在する案内軌道および案内スロットを含み、頂部収納部および底部下枠が、前記側方案内部に取り付けられる防風カーテン用枠。
【請求項１１】
前記案内スロットは、前記カーテンスロットの外側に位置する請求項１０に記載の防風カーテン用枠。
【請求項１２】
第１および第２の側方案内部と、カーテン格納および引出し収納部と、前記側方案内部に取り付けられる底部下枠とからなる枠構造であって、各側方案内部は、略矩形の形状をなすとともに長手方向に延在する本体を含み、前記各側方案内部の前記各本体は、長手方向に延在するカーテン軌道およびカーテンスロットと長手方向に延在する案内軌道および案内スロットを含む枠構造と、
側方縁部と頂部と底部とからなるカーテンであって、各々の前記側方縁部は、カーテンに取り付けられる帯状部材を含むカーテンと、
前記カーテンの前記底部に取り付けられるとともに、第１の端部と第２の端部とを有するカーテンバーと、各々が前記カーテンバーの端部と相互係合するとともに前記端部に圧入されるフランジ部分を含む第１および第２の端部キャップであって、各々が前記カーテンバーから延在する案内部をさらに含む第１の端部キャップおよび第２の端部キャップとからなり、
前記カーテンの引出しおよび格納が交互に行なわれるときに、各々の前記端部キャップの前記案内部は、自身のそれぞれの案内軌道および案内スロット内に位置し、前記帯状部材を自身に取り付けられて有する前記カーテンの各々の前記縁部は、自身のそれぞれのカーテン軌道およびカーテンスロット内に位置する防風カーテン装置。
【手続補正２】
【補正対象書類名】図面
【補正対象項目名】図６
【補正方法】変更
【補正の内容】
【図６】
2006506567.tif 000017
【手続補正３】
【補正対象書類名】図面
【補正対象項目名】図７Ａ
【補正方法】変更
【補正の内容】
【図７Ａ】
2006506567.tif 000018
【手続補正４】
【補正対象書類名】図面
【補正対象項目名】図７Ｂ
【補正方法】変更
【補正の内容】
【図７Ｂ】
2006506567.tif 000019
【手続補正５】
【補正対象書類名】図面
【補正対象項目名】図１０
【補正方法】変更
【補正の内容】
【図１０】
2006506567.tif 000020
【国際調査報告】
2006506567.tif 000021
2006506567.tif 000022